(57)【特許請求の範囲】
【請求項１】
少なくとも圧縮機、室外熱交換器、四方弁、膨張弁及び室外ファンを内蔵する室外ユニットと、少なくとも室内熱交換器及び室内ファンと表示部を有する室内ユニットと、運転を遠隔操作するリモコンとからなる空気調和機において、
前記リモコンのスイッチ操作により空気調和機の運転を停止させた後に、当該リモコンのスイッチの操作により前記室内ユニットに設けられた表示部に当該空気調和機の運転時間と電気料金の単価と電気代の表示を行わせ、前記リモコンのスイッチの操作により、前記電気料金の単価の変更に係る信号を前記室内ユニット側に送り、前記室内ユニット側においては、その信号により電気料金の単価の変更を行わせることを特徴とする空気調和機の制御装置。
【発明の詳細な説明】
【０００１】
【発明の属する技術分野】
本発明は、空気調和機の電力消費量や電気料金を表示部に表示する制御装置に関するものである。
【０００２】
【従来の技術】
従来の空気調和機では、室内ユニットの表示部に室内温度や消費電力量、電気料金を表示することは、図７に示す実開昭６２−１１７４５７ように、空気調和機を遠隔制御するリモコンに設けた消費電力を表示するための液晶を用いた消費電力消費表示手段、冷房／暖房表示手段、室温表示手段、インバータ周波数表示手段、タイマー時間表示手段などが記載されている。
【０００３】
また、特開平１１−１０１４９３には、空調運転の消費電力を、ｋｗ表示、あるいは電気料金に換算した金額を表示されることが記載されている。
【０００４】
【発明が解決しようとする課題】
しかし、上記従来の技術では、空調運転の消費電力を、ｋｗ表示、あるいは電気料金に換算した金額を表示することだけで、電気料金の単価が、経済情勢（為替相場や原油など）にの変化によって、今後地域や年によって、電気料金の単価が変更されるケースが多くなると、空調運転の消費電力の電気料金に換算した金額を表示が誤った表示をすることになり、有意義な機能が使用されないという問題があった。
【０００５】
本発明は、このような従来の課題を鑑み、空気調和機を運転時の消費電力を、電気料金に換算した金額を表示することで、電気料金の単価が変更できる空気調和機を提供するものである。
【０００６】
【課題を解決するための手段】
本発明は、少なくとも圧縮機、室外熱交換器、四方弁、膨張弁及び室外ファンを内蔵する室外ユニットと、少なくとも室内熱交換器及び室内ファンと表示部を有する室内ユニットと、運転を遠隔操作するリモコンとからなる空気調和機において、前記リモコンのスイッチ操作により空気調和機の運転を停止させた後に、当該リモコンのスイッチの操作により前記室内ユニットに設けられた表示部に当該空気調和機の運転時間と電気料金の単価と電気代の表示を行わせ、前記リモコンのスイッチの操作により、前記電気料金の単価の変更に係る信号を前記室内ユニット側に送り、前記室内ユニット側においては、その信号により電気料金の単価の変更を行わせることを特徴とする空気調和機の制御装置である。
【００１２】
【発明の実施の形態】
以下、本発明の実施の形態について図面を参考に説明する。図１は本発明の実施の形態における空気調和機の概略図、図２は本発明の実施の形態における空気調和機の室内ユニット本体の概略図、図３は図２の本体表示部の概略図、図４は図１のリモコンの概略図、図５は図２の内部構造図、図６は本発明の実施の形態における空気調和機の概略制御図である。
【００１３】
図１に示すように、本発明の実施の形態において、室内ユニット１と、室外ユニット２と、リモコン３から構成されていて、室内ユニット１は、室内熱交換器４と室内ファン５から構成され、室外ユニット２は、室外熱交換器６と、圧縮機７と、膨張弁８、室外ファン９から構成されている。
【００１４】
図２に示すように、室内ユニット１は、冷暖気を吹出す吹出口１０、室内空気を吸い込む吸込口１１、運転状況を表示する本体表示部１２から構成されてい
る。
【００１５】
図３に示すように、室内ユニット１の中央部には、本体表示部１２があり、この本体表示部１２は、室内の湿度に応じて点灯する湿度ランプ１３、室内の汚れに応じて色が変わる清浄度ランプ１４、リモコンの『お知らせボタン』を押すと、室内の環境と運転状況を表示する表示部１５、リモコンから信号を受けつける受光部１６とからなりたっている。
【００１６】
図４に示すリモコン３には、運転状態を表示するリモコン表示部１７、室内ユニット１に信号を送ると点灯する送信表示１８、調和機の運転／停止するスイッチ１９、室内温度を設定する温度スイッチ２０、運転状況を知りたいときのお知らせスイッチ２１、リモコンの電池交換するときのリセットスイッチ２２、本体表示部の液晶のライトを入／切をする液晶スイッチ２３などから構成されてい
る。
【００１７】
以下に動作を説明する。
【００１８】
冷房運転時には、圧縮機７から凝縮されて高温状態になっている熱交換媒体が、室外ユニット２の室外熱交換器６に送られる。室外熱交換器６では、外気が室外ファン９で、室外熱交換器６を通過して、熱交換媒体の熱を奪うとともに、熱交換媒体は冷却される。熱交換媒体は、膨張弁８を通過して、室内ユニット１の室内熱交換器４で、蒸発気化され、室内ファン５で、室内空気を室内熱交換器４を通過させ室内空気の熱を奪う。
【００１９】
このようにして、室内空気は冷やされ、室内冷房がおこなわれる。
【００２０】
室内暖房は、冷房運転とは逆に、熱交換媒体を逆循環させることにより行われる。
【００２１】
凝縮した熱交換媒体を、室内ユニット１の室内熱交換器４に送り、室内熱交換器４を通過する室内空気を温めて室内暖房を行う。
【００２２】
熱交換媒体は、さらに膨張弁８を介して、室外ユニット２の室外熱交換器６で、蒸発させられ、室内ファン５で、室外空気を室外熱交換器６を通過させ、熱交換をして、室外空気からの熱を奪い、圧縮機７に戻る。
【００２３】
次に操作手順について説明する。
【００２４】
空気調和機の運転は、リモコン３の制御パネルの『運転切換』スイッチ３４を押す毎に運転モードが『自動』ー『暖房』ー『冷房』ー『ドライ』ー『自動』ーと変わってリモコン３のリモコン表示部１７に表示されて、運転モードを選択する。
【００２５】
リモコン３の制御パネルの『運転／停止』スイッチ１９を押すと、室内ユニット１の本体表示部１２に運転内容、設定温度、室内温度を順に表示をし、運転中は、常に室内温度を表示する。
【００２６】
運転を停止するときには、リモコン３の制御パネルの『運転／停止』スイッチ１９を押すと、室内ユニット１の本体表示部１２の表示が消え、運転が停止します。
【００２７】
温度を変えたいときには、例えば１℃上げたいときには、リモコン３の制御パネルの『温度』スイッチ２０の『△』スイッチを一回押すと、設定温度が１℃変わり、暖房・冷房運転モードのときは、リモコン３の制御パネルのリモコン表示部１７と室内ユニット１の本体表示部１２に設定温度が表示される。
【００２８】
また、自動・ドライ運転モードの時には、リモコン３の制御パネルのリモコン表示部１７に上げたい温度分だけの温度が表示され、室内ユニット１の本体表示部１２に設定温度が表示される。
【００２９】
このとき、室内ユニット１の本体表示部１２の設定温度の表示は、約４秒後
に、室温表示に戻ります。
【００３０】
風量を変えたいときには、リモコン３の制御パネルの『風量』スイッチ２４を押すごとに、風量が変化し、リモコン３の制御パネルのリモコン表示部１７に、『風量自動』ー『風量△』ー『風量△△』ー『風量△△△』ー『風量自動』と表示され、室内ユニット１の本体表示部１２に『風量自動』ー『風量微風』ー『風量弱風』ー『風量強風』ー『風量自動』と表示される。
【００３１】
本発明の運転時間や電気代の表示は、リモコン３の制御パネルの『運転／停止』スイッチ１９を押して、運転が停止した後、４０秒以内に、リモコン３の制御パネルの『お知らせ』スイッチ２１を押すと、室内ユニット１の本体表示部１２に、空気調和機の『運転時間』と『電気料金の単価』と『電気代』が順に『運転時間』→『電気料金の単価』→『電気代』表示される。
【００３２】
例えば、『運転時間３時間３０分』→『２３円／ｋｗｈで試算』→『電気代目安約５０円』と表示される。
【００３３】
『電気料金の単価』は、工場出荷時には、『２３円／ｋｗｈ』で、設定されていますが、使用者の地域や年度によって、『電気料金の単価』が変わりますので、『電気料金の単価』を変更するときには、室内ユニット１の本体の『応急運転』スイッチ２５を５秒以上押し続ける。
【００３４】
リモコン３の制御パネルの『リセット』スイッチ２２を押してから、『液晶』スイッチ２３を５秒以上押し続ける。
【００３５】
更に、『液晶』スイッチ２３を押したまま、リモコン３の制御パネルの『温度』スイッチ２０の『△』スイッチと、『▽』スイッチを一回押すごとに、１円ずつ上げたり、下げたりして、『電気料金の単価』を設定して、『液晶』スイッチ２３を離して、『液晶』スイッチ２２を押すと、『電気料金の単価』の設定が完了する。
【００３６】
つまり、図６に示すように、リモコン３での『液晶』スイッチ２３、『温度』スイッチ２０、『リセット』スイッチ２２を操作することにより、信号が室内ユニット１の本体表示部１２の受光部１６に入り、室内ユニット１の本体の『応急運転』スイッチ２５の信号と合わせて、マイクロコンピュータ２６のスイッチ判定手段２９で、『電気料金の単価』変更の判定をし、制御部２７の料金単価変更手段３１で、『電気料金の単価』を変更し、圧縮機７、室内ファン５や室外ファン９などの負荷の運転状況の運転時間、消費電力をマイクロコンピュータ２６の運転時間計測手段２９と消費電力計測手段３０で計測し、料金演算手段３２で、電気料金を算出し、表示回路を経て、本体表示部１２に電気料金を表示する。
【００３７】
これにより、経済情勢の変化が生じても、常に、電気料金の単価が変更することができるので、機能がいつのときでも使用ができる。
【００３８】
本発明の電気料金単価の変更する方法は、室内ユニット本体の『応急運転』スイッチとリモコンのスイッチの操作で実施しているが、室内ユニット本体の『応急運転』スイッチをリモコンのスイッチに代替して、リモコンだけで電気料金単価の変更する方法ある。
【００３９】
このほかに、リモコンや室内ユニット本体に、電気料金単価の変更する単価変更ボタン設けて、電気料金単価の変更を簡単に変更する手段もある。
【００４０】
【発明の効果】
以上の説明から明らかなように本発明は、少なくとも圧縮機、室外熱交換器、四方弁、膨張弁及び室外ファンを内蔵する室外ユニットと、少なくとも室内熱交換器及び室内ファンと表示部を有する室内ユニットと、運転を遠隔操作するリモコンとからなる空気調和機において、前記リモコンのスイッチ操作により空気調和機の運転を停止させた後に、当該リモコンのスイッチの操作により前記室内ユニットに設けられた表示部に当該空気調和機の運転時間と電気料金の単価と電気代の表示を行わせ、前記リモコンのスイッチの操作により、前記電気料金の単価の変更に係る信号を前記室内ユニット側に送り、前記室内ユニット側においては、その信号により電気料金の単価の変更を行わせるので、経済情勢の変化が生じても、常に、電気料金の単価を変更することができるので、機能がいつのときでも使用ができ、常に電気代を把握することができ経済観念が養われる。
【図面の簡単な説明】
【図１】本発明の実施の形態における空気調和機の概略図である。
【図２】本発明の実施の形態における空気調和機の室内ユニット本体の概略図である。
【図３】図２の本体表示部の概略図である。
【図４】図１のリモコンの概略図である。
【図５】図２の内部構造図である。
【図６】本発明の実施の形態における空気調和機の概略制御図である。
【図７】従来の空気調和機の概略制御図である。
【符号の説明】
１      室内ユニット
２      室外ユニット
３      リモコン
４      室内熱交換器
５      室内ファン
６      室外熱交換交換器
７      圧縮機
８      膨張弁
９      室外ファン
１０    吹出口
１１    吸込口
１２    本体表示部
１３    湿度ランプ
１４    清浄度ランプ
１５    表示部
１６    受光部
１７    リモコン表示部
１８    送信表示
１９    運転停止
２０    温度スイッチ
２１    お知らせスイッチ
２２    リセットスイッチ
２３    液晶スイッチ
２４    風量スイッチ
２５    応急運転スイッチ
２６    マイクロコンピュータ
２７    制御部
２８    スイッチ判定手段
２９    運転時間計測手段
３０    消費電力計測手段
３１    料金単価変更手段
３２    料金演算手段
３３    表示回路
３４    運転切換スイッチ
【図１】
0003604598.tif 000002
【図２】
0003604598.tif 000003
【図３】
0003604598.tif 000004
【図４】
0003604598.tif 000005
【図５】
0003604598.tif 000006
【図６】
0003604598.tif 000007
【図７】
0003604598.tif 000008